【手続補正書】
【提出日】平成18年6月27日(2006.6.27)
【手続補正１】
【補正対象書類名】明細書
【補正対象項目名】発明の名称
【補正方法】変更
【補正の内容】
【発明の名称】液滴吐出装置の液滴吐出方法および液滴吐出装置、並びにカラーフィルタ表示装置の製造方法、エレクトロルミネッサンス表示装置の製造方法、プラズマ表示装置の製造方法、カラーフィルタ表示装置、エレクトロルミネッサンス表示装置およびプラズマ表示装置
【手続補正２】
【補正対象書類名】明細書
【補正対象項目名】特許請求の範囲
【補正方法】変更
【補正の内容】
【特許請求の範囲】
【請求項１】
複数の受容部を整列配置した基板に対し、インクジェット方式の吐出ヘッドを相対的に移動させながら、前記各受容部に前記吐出ヘッドから液体材料の液滴を吐出・配置して、前記各受容部を液体材料で満たすようにした液滴吐出装置の液滴吐出方法において、
前記各受容部の隅部および周縁部に複数の小さな液滴を吐出して配置する周縁部配置工程と、
前記周縁部配置工程の後、前記各受容部の中央部に複数の大きな液滴を吐出して配置する中央部配置工程と、を備えたことを特徴とする液滴吐出装置の液滴吐出方法。
【請求項２】
前記周縁部配置工程では、前記吐出ヘッドを一方向に相対的に移動させながら前記吐出ヘッドから液滴を吐出する主走査を、微小な副走査を挟んで複数回行なうことを特徴とする請求項１に記載の液滴吐出装置の液滴吐出方法。
【請求項３】
前記複数回の主走査では、主走査毎に異なるノズルから液滴の吐出を行なうことを特徴とする請求項２に記載の液滴吐出装置の液滴吐出方法。
【請求項４】
複数の受容部を整列配置した基板に対し、インクジェット方式の吐出ヘッドを相対的に移動させながら、前記各受容部に前記吐出ヘッドから液体材料の液滴を吐出・配置して、前記各受容部を液体材料で満たすようにした液滴吐出装置において、
前記吐出ヘッドと、
前記基板に対し前記吐出ヘッドを相対的に移動させる機構部と、
前記吐出ヘッドの駆動および前記機構部の駆動を制御する制御系と、を備え、
前記制御系は、前記各受容部の隅部および周縁部に複数の小さな液滴を吐出して配置した後、前記各受容部の中央部に複数の大きな液滴を吐出して配置することを特徴とする液滴吐出装置。
【請求項５】
前記隅部および前記周縁部への液滴の吐出では、前記吐出ヘッドを一方向に相対的に移動させながら前記吐出ヘッドから液滴を吐出する主走査を、微小な副走査を挟んで複数回行なうことを特徴とする請求項４に記載の液滴吐出装置。
【請求項６】
前記複数回の主走査では、主走査毎に異なるノズルから液滴の吐出を行なうことを特徴とする請求項５に記載の液滴吐出装置。
【請求項７】
複数の受容部を整列配置したカラーフィルタ用の基板に対し、インクジェット方式の吐出ヘッドを相対的に移動させながら、前記各受容部に前記吐出ヘッドからカラーフィルタ材料を液滴の状態で吐出・配置して、前記各受容部をカラーフィルタ材料で満たすようにしたカラーフィルタ表示装置の製造方法において、
前記各受容部の隅部および周縁部に複数の小さな液滴を吐出して配置する周縁部配置工程と、
前記周縁部配置工程の後、前記各受容部の中央部に複数の大きな液滴を吐出して配置する中央部配置工程と、を備えたことを特徴とするカラーフィルタ表示装置の製造方法。
【請求項８】
複数の受容部を整列配置したエレクトロルミネッサンス用の基板に対し、インクジェット方式の吐出ヘッドを相対的に移動させながら、前記各受容部に前記吐出ヘッドからルミネッサンス蛍光材料を液滴の状態で吐出・配置して、前記各受容部をルミネッサンス蛍光材料で満たすようにしたエレクトロルミネッサンス表示装置の製造方法において、
前記各受容部の隅部および周縁部に複数の小さな液滴を吐出して配置する周縁部配置工程と、
前記周縁部配置工程の後、前記各受容部の中央部に複数の大きな液滴を吐出して配置する中央部配置工程と、を備えたことを特徴とするエレクトロルミネッサンス表示装置の製造方法。
【請求項９】
複数の受容部を整列配置したプラズマ用の基板に対し、インクジェット方式の吐出ヘッドを相対的に移動させながら、前記各受容部に前記吐出ヘッドからプラズマ蛍光材料を液滴の状態で吐出・配置して、前記各受容部をプラズマ蛍光材料で満たすようにしたプラズマ表示装置の製造方法において、
前記各受容部の隅部および周縁部に複数の小さな液滴を吐出して配置する周縁部配置工程と、
前記周縁部配置工程の後、前記各受容部の中央部に複数の大きな液滴を吐出して配置する中央部配置工程と、を備えたことを特徴とするプラズマ表示装置の製造方法。
【請求項１０】
請求項７に記載のカラーフィルタ表示装置の製造方法により製造したことを特徴とするカラーフィルタ表示装置。
【請求項１１】
請求項８に記載のエレクトロルミネッサンス表示装置の製造方法により製造したことを特徴とするエレクトロルミネッサンス表示装置。
【請求項１２】
請求項９に記載のプラズマ表示装置の製造方法により製造したことを特徴とするプラズマ表示装置。
【手続補正３】
【補正対象書類名】明細書
【補正対象項目名】０００１
【補正方法】変更
【補正の内容】
【０００１】
【発明の属する技術分野】
本発明は、液体材料を液滴の状態で吐出するインクジェット方式の液滴吐出装置の液滴吐出方法および液滴吐出装置、並びにカラーフィルタ表示装置の製造方法、エレクトロルミネッサンス表示装置の製造方法、プラズマ表示装置の製造方法、カラーフィルタ表示装置、エレクトロルミネッサンス表示装置およびプラズマ表示装置に関するものである。
【手続補正４】
【補正対象書類名】明細書
【補正対象項目名】０００５
【補正方法】変更
【補正の内容】
【０００５】
【課題を解決するための手段】
このような課題を解決するため、本発明の液滴吐出装置の液滴吐出方法は、複数の受容部を整列配置した基板に対し、インクジェット方式の吐出ヘッドを相対的に移動させながら、各受容部に吐出ヘッドから液体材料の液滴を吐出・配置して、各受容部を液体材料で満たすようにした液滴吐出装置の液滴吐出方法において、各受容部の隅部および周縁部に複数の小さな液滴を吐出して配置する周縁部配置工程と、周縁部配置工程の後、各受容部の中央部に複数の大きな液滴を吐出して配置する中央部配置工程と、を備えたことを特徴とする。
【手続補正５】
【補正対象書類名】明細書
【補正対象項目名】０００６
【補正方法】変更
【補正の内容】
【０００６】
この場合、周縁部配置工程では、吐出ヘッドを一方向に相対的に移動させながら吐出ヘッドから液滴を吐出する主走査を、微小な副走査を挟んで複数回行なうことが、好ましい。
また、この場合、複数回の主走査では、主走査毎に異なるノズルから液滴の吐出を行なうことが、好ましい。
【手続補正６】
【補正対象書類名】明細書
【補正対象項目名】０００７
【補正方法】変更
【補正の内容】
【０００７】
本発明の液滴吐出装置は、複数の受容部を整列配置した基板に対し、インクジェット方式の吐出ヘッドを相対的に移動させながら、各受容部に吐出ヘッドから液体材料の液滴を吐出・配置して、各受容部を液体材料で満たすようにした液滴吐出装置において、吐出ヘッドと、基板に対し吐出ヘッドを相対的に移動させる機構部と、吐出ヘッドの駆動および機構部の駆動を制御する制御系と、を備え、制御系は、各受容部の隅部および周縁部に複数の小さな液滴を吐出して配置した後、各受容部の中央部に複数の大きな液滴を吐出して配置することを特徴とする。
【手続補正７】
【補正対象書類名】明細書
【補正対象項目名】０００８
【補正方法】変更
【補正の内容】
【０００８】
この場合、隅部および周縁部への液滴の吐出では、吐出ヘッドを一方向に相対的に移動させながら吐出ヘッドから液滴を吐出する主走査を、微小な副走査を挟んで複数回行なうことが、好ましい。
また、この場合、複数回の主走査では、主走査毎に異なるノズルから液滴の吐出を行なうことが、好ましい。
【手続補正８】
【補正対象書類名】明細書
【補正対象項目名】０００９
【補正方法】変更
【補正の内容】
【０００９】
本発明のカラーフィルタ表示装置の製造方法は、複数の受容部を整列配置したカラーフィルタ用の基板に対し、インクジェット方式の吐出ヘッドを相対的に移動させながら、各受容部に吐出ヘッドからカラーフィルタ材料を液滴の状態で吐出・配置して、各受容部をカラーフィルタ材料で満たすようにしたカラーフィルタ表示装置の製造方法において、各受容部の隅部および周縁部に複数の小さな液滴を吐出して配置する周縁部配置工程と、周縁部配置工程の後、各受容部の中央部に複数の大きな液滴を吐出して配置する中央部配置工程と、を備えたことを特徴とする。
また、本発明のエレクトロルミネッサンス表示装置の製造方法は、複数の受容部を整列配置したエレクトロルミネッサンス用の基板に対し、インクジェット方式の吐出ヘッドを相対的に移動させながら、各受容部に吐出ヘッドからルミネッサンス蛍光材料を液滴の状態で吐出・配置して、各受容部をルミネッサンス蛍光材料で満たすようにしたエレクトロルミネッサンス表示装置の製造方法において、各受容部の隅部および周縁部に複数の小さな液滴を吐出して配置する周縁部配置工程と、周縁部配置工程の後、各受容部の中央部に複数の大きな液滴を吐出して配置する中央部配置工程と、を備えたことを特徴とする。
さらにまた、本発明のプラズマ表示装置の製造方法は、複数の受容部を整列配置したプラズマ用の基板に対し、インクジェット方式の吐出ヘッドを相対的に移動させながら、各受容部に吐出ヘッドからプラズマ蛍光材料を液滴の状態で吐出・配置して、各受容部をプラズマ蛍光材料で満たすようにしたプラズマ表示装置の製造方法において、各受容部の隅部および周縁部に複数の小さな液滴を吐出して配置する周縁部配置工程と、周縁部配置工程の後、各受容部の中央部に複数の大きな液滴を吐出して配置する中央部配置工程と、を備えたことを特徴とする。
【手続補正９】
【補正対象書類名】明細書
【補正対象項目名】００１０
【補正方法】変更
【補正の内容】
【００１０】
本発明のカラーフィルタ表示装置は、上記したカラーフィルタ表示装置の製造方法により製造したことを特徴とする。
また、本発明のエレクトロルミネッサンス表示装置は、上記したエレクトロルミネッサンス表示装置の製造方法により製造したことを特徴とする。
さらにまた、本発明のプラズマ表示装置は、上記したプラズマ表示装置の製造方法により製造したことを特徴とする。
【手続補正１０】
【補正対象書類名】明細書
【補正対象項目名】００１１
【補正方法】削除
【補正の内容】